(57)【特許請求の範囲】
【請求項１】
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続され、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信手段と、
前記第２受注者端末から前記物品の納品に関する納品情報を受信して、前記発注情報に関連付けて記憶装置に保存する納品情報受信手段と、
前記記憶装置に保存された情報を前記発注者端末及び前記第１受注者端末に提供する提供手段と、
前記提供手段による前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信手段と、
前記提供手段による前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信手段と、
を有し、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供手段による前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供手段による前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする情報処理装置。
【請求項２】
前記第２受注者に対して、前記発注情報を用いて生成した納品書フォームを送信する送信手段を更に有することを特徴とする請求項１に記載の情報処理装置。
【請求項３】
前記納品情報、前記確認情報、及び前記承認情報を保存する記憶手段を更に含むことを特徴とする請求項１または２に記載の情報処理装置。
【請求項４】
発注者が利用する発注者端末と、
前記発注者からの発注を受け付け前記発注者に製品を納品する第１受注者が利用する第１受注者端末と、
前記発注者からの注文を受け付け前記第１受注者に対して前記製品の製造に必要な物品を納品する第２受注者が利用する第２受注者端末と、
前記発注者端末、前記第１受注者端末及び前記第２受注者端末に接続される情報処理装置と、を備え、
前記情報処理装置が、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信手段と、
前記第２受注者端末から前記物品の納品に関する納品情報を受信して、前記発注情報に関連付けて記憶装置に保存する納品情報受信手段と、
前記記憶装置に保存された情報を前記発注者端末及び前記第１受注者端末に提供する提供手段と、
前記提供手段による前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信手段と、
前記提供手段による前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信手段と、
を含み、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供手段による前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供手段による前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする情報処理システム。
【請求項５】
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御方法であって、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信ステップと、
前記第２受注者端末から前記物品の納品に関する納品情報を受信して、前記発注情報に関連付けて記憶装置に保存する納品情報受信ステップと、
前記記憶装置に保存された情報を前記発注者端末及び前記第１受注者端末に提供する提供ステップと、
前記提供ステップにおける前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信ステップと、
前記提供ステップにおける前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信ステップと、
を有し、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供ステップにおける前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供ステップにおける前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする情報処理装置の制御方法。
【請求項６】
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御プログラムであって、
コンピュータに、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信ステップと、
前記第２受注者端末から前記物品の納品に関する納品情報を受信して、前記発注情報に関連付けて記憶装置に保存する納品情報受信ステップと、
前記記憶装置に保存された情報を前記発注者端末及び前記第１受注者端末に提供する提供ステップと、
前記提供ステップにおける前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信ステップと、
前記提供ステップにおける前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信ステップと、
を実行させ、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供ステップにおける前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供ステップにおける前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする情報処理装置の制御プログラム。
【発明の詳細な説明】
【技術分野】
【０００１】
本発明は、製品の発注、受注に関する情報を管理する技術に関する。
【背景技術】
【０００２】
製品の発注、受注に関する情報を管理する技術として、特許文献１には、受注データ及び出荷データを記憶する装置が開示されている。
【先行技術文献】
【特許文献】
【０００３】
【特許文献１】特開２００５−２７５５４８号公報
【発明の概要】
【発明が解決しようとする課題】
【０００４】
しかしながら、上述の文献には、発注者と、発注者から製品を受注する受注者と、その製品に必要な物品を受注する受注者との３者間でのやり取りを管理する技術は開示されていない。
すなわち、そのような３者間で行なわれる情報のやり取りを管理する技術はなかった。  本発明の目的は、上述の課題を解決する技術を提供することにある。
【課題を解決するための手段】
【０００５】
上記目的を達成するため、本発明に係る情報処理装置は、
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続され、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信手段と、
前記第２受注者端末から前記物品の納品に関する納品情報を受信して、前記発注情報に関連付けて記憶装置に保存する納品情報受信手段と、
前記記憶装置に保存された情報を前記発注者端末及び前記第１受注者端末に提供する提供手段と、
前記提供手段による前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信手段と、
前記提供手段による前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信手段と、
を有し、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供手段による前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供手段による前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする。
【０００６】
上記目的を達成するため、本発明に係る情報処理システムは、
発注者が利用する発注者端末と、
前記発注者からの発注を受け付け前記発注者に製品を納品する第１受注者が利用する第１受注者端末と、
前記発注者からの注文を受け付け前記第１受注者に対して前記製品の製造に必要な物品を納品する第２受注者が利用する第２受注者端末と、
前記発注者端末、前記第１受注者端末及び前記第２受注者端末に接続される情報処理装置と、を備え、
前記情報処理装置が、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信手段と、
前記第２受注者端末から前記物品の納品に関する納品情報を受信して、前記発注情報に関連付けて記憶装置に保存する納品情報受信手段と、
前記記憶装置に保存された情報を前記発注者端末及び前記第１受注者端末に提供する提供手段と、
前記提供手段による前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信手段と、
前記提供手段による前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信手段と、
を含み、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供手段による前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供手段による前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする。
【０００７】
上記目的を達成するため、本発明に係る方法は、
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御方法であって、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信ステップと、
前記第２受注者端末から前記物品の納品に関する納品情報を受信して、前記発注情報に関連付けて記憶装置に保存する納品情報受信ステップと、
前記記憶装置に保存された情報を前記発注者端末及び前記第１受注者端末に提供する提供ステップと、
前記提供ステップにおける前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信ステップと、
前記提供ステップにおける前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信ステップと、
を有し、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供ステップにおける前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供ステップにおける前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする。
【０００８】
上記目的を達成するため、本発明に係るプログラムは、
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御プログラムであって、
コンピュータに、
前記発注者端末から、前記第１受注者に対する前記製品の発注日、前記製品の品目、前記製品の数量、および、前記製品の納入期限を含む前記製品の発注情報と、前記第２受注者に対する前記物品の発注日、前記物品の品目、前記物品の数量、および、前記物品の納入期限を含む前記物品の発注情報とを受信して、記憶装置に保存する発注情報受信ステップと、
前記第２受注者端末から前記物品の納品に関する納品情報を受信して、前記発注情報に関連付けて記憶装置に保存する納品情報受信ステップと、
前記記憶装置に保存された情報を前記発注者端末及び前記第１受注者端末に提供する提供ステップと、
前記提供ステップにおける前記第１受注者端末への前記納品情報の提供に応答して、前記納品情報に含まれる前記物品の納品を前記第１受注者が確認したことを示す確認情報を、前記第１受注者端末から受信し、前記第１受注者による納品回答を未回答から回答済に変えて前記納品情報に関連付けて前記記憶装置に保存する確認受信ステップと、
前記提供ステップにおける前記発注者端末への前記納品情報の提供に応答して、前記第１受注者端末によって確認された前記物品の納品を前記発注者が承認したことを示す承認情報を、前記発注者端末から受信し、前記発注者による納品承認を未承認から承認に変えて前記納品情報に関連付けて前記記憶装置に保存する承認受信ステップと、
を実行させ、
前記第２受注者から前記第１受注者への前記物品の納品は、前記物品の発注数量を分割して納品する分納であって、前記記憶装置は、前記納品情報、前記確認情報および前記承認情報を前記分納ごとに保存し、
前記提供ステップにおける前記第１受注者端末への前記納品情報の提供は、前記第１受注者端末からのアクセスに応答して、前記第２受注者から前記第１受注者への納品についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記第１受注者端末にリスト表示させることにより行なわれ、
前記提供ステップにおける前記発注者端末への前記納品情報の提供は、前記発注者端末からのアクセスに応答して、前記発注者が前記第２受注者に発注した注文についての前記納品情報を検索し、前記第２受注者から前記第１受注者への前記物品の分納日、前記物品の品目、前記分納の数量、前記第１受注者による前記分納に対する前記納品回答、および、前記発注者による前記分納に対する前記納品承認とを対応付けたリストを、前記発注者端末にリスト表示させることにより行なわれることを特徴とする。
【発明の効果】
【０００９】
本発明によれば、発注者と、発注者から製品を受注する受注者と、その製品に必要な物品を受注する受注者との３者間でのやり取りを管理することができる。
【図面の簡単な説明】
【００１０】
【図１】本発明の第１実施形態としての情報処理装置及びその周辺装置の構成を示す図である。
【図２】本発明の第２実施形態としての情報処理システムの構成を示す図である。
【図３】本発明の第２実施形態としての情報処理システムに含まれる取引管理サーバの構成を示す図である。
【図４】本発明の第２実施形態としての情報処理システムで用いられる発注情報を示す図である。
【図５】本発明の第２実施形態としての情報処理システムで用いられる納品情報を示す図である。
【図６】本発明の第２実施形態としての情報処理システムで用いられる納品情報を示す図である。
【図７】本発明の第２実施形態としての情報処理システムで行なわれる処理の流れを示す図である。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１２】
(第１実施形態)
本発明の第１実施形態に係る情報処理装置について図１を参照して説明する。図１において、情報処理装置１０は、発注者が利用する発注者端末２１と、第１受注者が利用する第１受注者端末２２と、第２受注者が利用する第２受注者端末２３に接続されている。
【００１３】
第１受注者は、発注者からの発注を受け付け発注者に製品（完成品）を納品する受注者であり、第２受注者は、発注者からの注文を受け付け第１受注者に対して製品の製造に必要な物品（支給品、例えば材料や部品など）を納品する受注者である。
【００１４】
情報処理装置１０は、第２受注者端末２３から物品の納品に関する納品情報を受信して、発注情報に関連付けて記憶装置３０に保存する納品情報受信部１２とを備える。また、納品情報に含まれる物品の納品を第１受注者が確認したことを示す確認情報を、第１受注者端末２２から受信し、納品情報に関連付けて記憶装置３０に保存する確認受信部１３を備える。更に、情報処理装置１０は、第１受注者端末２２によって確認された物品の納品を発注者が承認したことを示す承認情報を、発注者端末２１から受信し、納品情報に関連付けて記憶装置３０に保存する承認受信部１４を備える。なお、情報処理装置１０は、発注者端末２１及び第１受注者端末２２に対し、記憶装置３０に保存された情報を提供する情報提供部を備えてもよい。また、発注者端末２１から発注情報を受信して記憶装置３０に保存する発注情報受信部を備えても良い。
【００１５】
このように構成された情報処理装置によれば、発注者と、発注者から製品を受注する受注者と、その製品に必要な物品を受注する受注者との３者間でのやり取りを管理することができる。特に、発注者は、第２受注者から第１受注者へ物品が納品され、第１受注者が確認したことを把握することができ、その納品についての承認を行なうことができる。第１受注者は発注者がそのような承認を行なったことを確認することができる。したがって、発注者は製品の納品以前に物品の流れを把握することができ、第１受注者は発注者によってその物品の流れが確認されたことを把握することができる。
【００１６】
ひいては、発注者は、第１受注者と第２受注者との間での物品の流れを管理することができ、記憶装置３０に記憶された情報を参照することにより、例えば、第１受注者及び第２受注者としてどのような業者を選択すれば最適か判断することが可能となる。
【００１７】
なお、記憶装置３０は情報処理装置１０の一部として存在していてもよいし、その外部に接続されていてもよい。その他、発注者端末２１、第１受注者端末２２、第２受注者端末及び情報処理装置１０は、それぞれネットワークを介して接続されていても、専用線で直接接続されていてもよい。更には、発注者端末２１と情報処理装置１０がＬＡＮ（ローカルエリアネットワーク）で接続され、それらと他の第１受注者端末２２、第２受注者端末２３とが、インターネットを介して接続されていてもよい。
【００１８】
また、一つの発注者に対して、２者以上の第１受注者と２者以上の第２受注者とが存在しても良い。
【００１９】
（第２実施形態）
本発明の第２実施形態としての情報処理システム２００について、図２を用いて説明する。情報処理システム２００は、取引管理サーバ１００と、発注者が利用する発注者端末２１０と第１受注者が利用する第１受注者端末２２０と第２受注者が利用する第２受注者端末２３０とを備え、それぞれインターネット３００で接続されている。
【００２０】
これらのうち、取引管理サーバ１００は、Ｗｅｂサーバであって、インターネット３００を介して受信した各種のコマンドに対して画像や音声などの情報を提供する機能を有する。発注者端末２１０、第１受注者端末２２０、第２受注者端末２３０は、それぞれ汎用のコンピュータであり、インターネット３００を介して情報の授受ができるように汎用のブラウザを備えている。それぞれの端末は取引管理サーバ１００にアクセス可能であり、納品管理アプリケーション１４１を利用するための、認証情報（例えばユーザＩＤ及びパスワード）を有している。納品管理アプリケーション１４１は、発注者端末２１０、第１受注者端末２２０、第２受注者端末２３０からのアクセスを受け付けて、情報の受信／送信を行なう。
【００２１】
取引管理サーバ１００の内部構成について、図３を用いて説明する。取引管理サーバ１００は、ＣＰＵ１１０、ＲＯＭ１２０、通信制御部１３０、ＲＡＭ１４０、及び記憶部１５０を備えている。ＣＰＵ１１０は、中央処理部であって、様々なプログラムを実行することにより取引管理サーバ１００全体を制御する。ＲＯＭ１２０は、リードオンリメモリであり、ＣＰＵ１１０が最初に実行すべきブートプログラムの他、各種パラメータを記憶している。また、ＲＡＭ１４０は、ランダムアクセスメモリであり、納品管理アプリケーション１４１の実行領域を有している。納品管理アプリケーション１４１は、注文を受信する注文受信モジュール１４２と、納品書を作成する納品書作成モジュール１４３と、納品を受け入れたことを確認する受入確認モジュール１４４と、受入内容を承認する内容承認モジュール１４５とを有する。また、納品管理アプリケーション１４１は、更に、他の端末からのリクエストに応じて、発注データベース１５２や納品データベース１５３の情報を抽出又は分析して、その結果を提供する情報提供モジュール１４６を備えている。
【００２２】
一方、記憶部１５０は、発注・納品情報データベース１５１を構成しており、図４に示す発注データベース１５２と図５に示す納品データベース１５３とを有する。また、通信制御部１３０は、他の端末とのネットワークを介した通信を制御する。
【００２３】
発注データベース１５２は、図４のテーブル４００に示すように構成されており、発注者と発注日と発注番号と受注者と支給先と品目と数量と納入期限とが関連づけられている。本実施形態では、発注者４０１が支給先４０２と一致するとは限らない。図４では、例として、発注者Ｃから、受注者Ａ、Ｂに対して、１０個の製品ａａａａと１００個の製品ｂｂｂｂとを発注した状態を示している。ただし、受注者Ａが製品ａａａａを納品する支給先が発注者Ｃであるのに対し、受注者Ｂが製品ｂｂｂｂを納品する支給先は、受注者Ａである。つまり、このデータは、発注者Ｃが受注者Ａ及び受注者Ｂの両方に発注を行い、受注者Ｂが材料ｂｂｂｂを受注者Ａに納品し、さらに受注者Ａが製品ａａａａを発注者Ｃに納品することを示している。
【００２４】
一方、納品データベース１５３は、図５のテーブル５００に示すように構成されている。発注者、搬入日、納品元、支給先、納品書番号、品目、数量がそれぞれ関連付けられている。そして更に、それぞれに納品情報について、支給先による納品回答５０１と、発注者Ｃによる承認のフラグが設けられており、それぞれの回答状態及び承認状態が登録される。例えば、図６に示すように、支給先Ａが全ての納品をチェックし、物品（例えば材料）の受入を確認した場合には、支給先Ａの端末からの入力によって、納品回答５０１の欄は「未回答」から「回答済」に変化する。更に、発注者Ｃによって、その納品の状態が承認された場合には、発注者Ｃの端末からの入力によって、「未承認」から「承認」に状態が変化する。
【００２５】
次に、図７を参照して、本実施形態に係る取引管理サーバ１００の動作について説明する。取引管理サーバ１００の注文受信モジュール１４２は、発注者Ｃの発注者端末２１０によって起動され、発注者端末２１０が発注情報を送信すると（Ｓ１）、その発注情報を受信して、発注データベース１５２に格納する。取引管理サーバ１００は、この発注情報に基づいて、受注者Ａの受注者端末２２０に対して発注を行ない（Ｓ２）、同時に、受注者Ｂの受注者端末２３０に対しても発注を行なう（Ｓ３）。
【００２６】
次に、発注された注文に応じて受注者Ｂが納品を行なうタイミングで、受注者Ｂは、受注者端末２３０を操作して取引管理サーバ１００にアクセスし、納品書作成モジュール１４３を起動させる。納品書作成モジュール１４３は、これに応じて、発注情報から納品書フォームを生成し、受注者Ｂの受注者端末２３０に送る（Ｓ４）。この納品書フォームは、発注情報に応じて作成されるため、支給先や、納期、品目や数量などは予め埋められている。ただし、物品を収める際に、分納する場合も考慮して、数量は、発注数を上限として変更可能となっている。つまり発注数が１００で、既に納品された納品数が５０であれば、新たに納品書に記載できる納品数は上限が５０となる。
【００２７】
受注者Ｂは受注者端末２３０を操作して、納品書フォームに必要な数値を入力して、取引管理サーバ１００に送信する（Ｓ５）。そして、ほぼ同時に、その納品書に記載された品目をその納品書に記載された数量だけ受注者Ａに納品する。分納を行なう場合には、複数回に分けて納品書の送信及び納品を行なう（Ｓ５’）。
【００２８】
次に、受注者Ａでは、発注者Ｃが受注者Ｂに発注した品物を全て受領したタイミングで、受注者端末２２０を用いて取引管理サーバ１００にアクセスし、受入確認モジュール１４４を起動させる。受入確認モジュール１４４は、受注者端末２２０から入力された「指定納期」「事業所」「品目番号」「部品名称」「部品番号」「納品書番号」などの情報から、納品情報を検索して、ヒットした納品情報のリスト（例えば図５に示すようなもの）を受注者端末２２０に送信する（Ｓ６）。受注者Ａは、受注者端末２２０上でその納品情報を確認し、全ての納品情報について問題なく物品（部品など）を受け取った場合には、その旨を、取引管理サーバ１００に回答する（Ｓ７）。納品書通りの納品が行なわれていなかった場合には、受注者Ａは、受注者Ｂに直接アクセスして、確認を行なう。つまり、受注者Ａ、Ｂ間での品物の受け渡しはそれらの間で調整・確認しつつ行なわれ、最終的に受注者Ａが適正な商品を受け取った場合に、取引管理サーバ１００にその旨を回答する。受入確認モジュール１４４は、それぞれの納品情報について、「未回答」から「回答」にステータスを変更する（Ｓ８）。
【００２９】
更に、発注者Ｃは、適当なタイミングで、取引管理サーバ１００にアクセスし、内容承認モジュール１４５を起動して、受注者Ａが確認した納品内容の承認を行なう。具体的には、搬入日、納品元、支給先、納品書番号、ステータスなどを入力して、発注者Ｃが発注した注文についての納品情報を検索して、ヒットした納品情報（例えば図６に示すようなもの）を発注者端末２１０にリスト表示する（Ｓ９）。発注者Ｃの発注者端末２１０では、それらのリストから、承認すべきものを選択して承認する（Ｓ１０）。
【００３０】
その後、情報提供モジュール１４６は、発注者Ｃや受注者Ａ、Ｂからのリクエストに応えて各種の情報を提供する。例えば、最終製品の受注者と、支給品の受注者とをどのように選択すれば、どのようなスケジュールで納品が行なわれるか、など、最適な受注者の組合せを選択する材料となるデータを提示しても良い。或いは、承認（Ｓ１０）を行なってからの経過日数によって、受注者Ａに催促を行なうメールを自動送信してもよい。
【００３１】
この承認情報は、受注者Ａに伝えられ、受注者Ａは発注者Ｃによる承認を踏まえて安心して製品の製造に取りかかることが可能となる。また。発注者Ｃも、受注者Ｂから受注者Ａへの材料や部品の流れが的確に把握でき、その後の発注タイミングや受注者選びなどに役立てることが可能となる。
【００３２】
このように本システムでは、受注者Ａが受入実績確認を行ない、発注者Ｃがそれを承認する。受注者Ｂから受注者Ａに材料が渡ったことを受注者Ａが認めたことになる。逆に、受注者Ｂの納品書があるのに、受入実績確認がないのは、納品が間違っていたか何かのトラブルで確認が遅れていると推定できる。発注者Ｃの承認があることにより、受注者Ａは安心して次のステップに進める。発注者Ｃは、受注者Ａにおける途中状態を知ることができ、材料の納品タイミングを知って最終製品の納品時期や、受注者Ａ、受注者Ｂの状態などを把握することができる。例えば、受注者Ａが受入実績確認を行なった後の作業の遅れは受注者Ａの責任となる。
【００３３】
＜実施形態の他の表現＞
上記の実施形態の一部又は全部は、以下の付記のようにも記載されうるが、以下には限られない。
【００３４】
（付記１）
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続され、
前記第２受注者端末から前記物品の納品に関する納品情報を受信して記憶装置に保存する納品情報受信手段と、
前記納品情報に含まれる前記物品の納品を、前記第１受注者が確認したことを示す確認情報を、前記第１受注者端末から受信し、前記納品情報に関連付けて前記記憶装置に保存する確認受信手段と、
前記第１受注者端末によって確認された前記物品の納品を、前記発注者が承認したことを示す承認情報を、前記発注者端末から受信し、前記納品情報に関連付けて前記記憶装置に保存する承認受信手段と、
を有することを特徴とする情報処理装置。
（付記２）
前記発注者端末から発注情報を受信して前記記憶装置に保存する発注情報受信手段を更に有することを特徴とする付記１に記載の情報処理装置。
（付記３）
前記納品情報受信手段は、前記第２受注者端末から前記物品の納品に関する納品情報を受信して、前記発注情報に関連付けて前記記憶装置に保存することを特徴とする付記２に記載の情報処理装置。
（付記４）
前記第２受注者に対して、前記発注情報を用いて生成した納品書フォームを送信する送信手段を更に有することを特徴とする付記２に記載の情報処理装置。
（付記５）
前記記憶装置に保存された情報を前記発注者端末及び前記第１受注者端末に提供する提供手段を更に有することを特徴とする付記１乃至４の何れかに記載の情報処理装置。
（付記６）
前記納品情報、前記確認情報、及び前記承認情報を保存する前記記憶手段を更に含むことを特徴とする付記１乃至５の何れかに記載の情報処理装置。
（付記７）
発注者が利用する発注者端末と、
前記発注者からの発注を受け付け前記発注者に製品を納品する第１受注者が利用する第１受注者端末と、
前記発注者からの注文を受け付け前記第１受注者に対して前記製品の製造に必要な物品を納品する第２受注者が利用する第２受注者端末と、
前記発注者端末、前記第１受注者端末及び前記第２受注者端末に接続され、前記第２受注者端末から前記物品の納品に関する納品情報を受信して記憶装置に保存する納品情報受信手段と、前記納品情報に含まれる前記物品の納品を前記第１受注者が確認したことを示す確認情報を、前記第１受注者端末から受信し、前記納品情報に関連付けて前記記憶装置に保存する確認受信手段と、前記第１受注者端末によって確認された前記物品の納品を前記発注者が承認したことを示す承認情報を、前記発注者端末から受信し、前記納品情報に関連付けて前記記憶装置に保存する承認受信手段と、を含む情報処理装置と、
を備えたことを特徴とする情報処理システム。
（付記８）
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御方法であって、
前記第２受注者端末から前記物品の納品に関する納品情報を受信して記憶装置に保存する納品情報受信ステップと、
前記納品情報に含まれる前記物品の納品を前記第１受注者が確認したことを示す確認情報を、前記第１受注者端末から受信し、前記納品情報に関連付けて前記記憶装置に保存する確認受信ステップと、
前記第１受注者端末によって確認された前記物品の納品を前記発注者が承認したことを示す承認情報を、前記発注者端末から受信し、前記納品情報に関連付けて前記記憶装置に保存する承認受信ステップと、
を含むことを特徴とする情報処理装置の制御方法。
（付記９）
発注者と、前記発注者からの発注を受け付け前記発注者に製品を納品する第１受注者と、前記発注者からの注文を受け付け前記第１受注者に対して前記製品の製造に必要な物品を納品する第２受注者とのそれぞれが利用する発注者端末、第１受注者端末、及び第２受注者端末に接続された情報処理装置の制御プログラムであって、
コンピュータに、
前記第２受注者端末から前記物品の納品に関する納品情報を受信して記憶装置に保存する納品情報受信ステップと、
前記納品情報に含まれる前記物品の納品を前記第１受注者が確認したことを示す確認情報を、前記第１受注者端末から受信し、前記納品情報に関連付けて前記記憶装置に保存する確認受信ステップと、
前記第１受注者端末によって確認された前記物品の納品を前記発注者が承認したことを示す承認情報を、前記発注者端末から受信し、前記納品情報に関連付けて前記記憶装置に保存する承認受信ステップと、
を実行させることを特徴とする情報処理装置の制御プログラム。
【００３５】
（他の実施形態）
以上、本発明の実施形態について詳述したが、それぞれの実施形態に含まれる別々の特徴を如何様に組み合わせたシステム又は装置も、本発明の範疇に含まれる。
【００３６】
また、本発明は、複数の機器から構成されるシステムに適用してもよいし、単体の装置に適用してもよい。さらに、本発明は、実施形態の機能を実現するソフトウェアが、システム或いは装置に直接或いは遠隔から供給される場合にも適用可能である。したがって、本発明の機能をコンピュータで実現するために、コンピュータにインストールされる制御プログラム、或いはそのプログラムを格納した媒体、そのプログラムをダウンロードさせるＷＷＷサーバも、本発明の範疇に含まれる。
【図１】
0005435359.tif 000002
【図２】
0005435359.tif 000003
【図３】
0005435359.tif 000004
【図４】
0005435359.tif 000005
【図５】
0005435359.tif 000006
【図６】
0005435359.tif 000007
【図７】
0005435359.tif 000008